(57)【要約】【課題】本発明は、麻痺を有する人などにとっても使い勝手のよいトイレユニットを提供する。【解決手段】トイレブースの第１の壁面から突出するようにして設けられた少なくとも前面と上面とが遮蔽された第１のライニングと、前記第１のライニングの前方に設置された便器と、前記トイレブースの前記第１の壁面と略直行する第２の壁面から突出するようにして設けられた少なくとも前面と上面とが遮蔽された第２のライニングと、前記便器の側方であって、前記第２のライニングの前記前面の上端近傍に設けられた操作手段と、前記第２のライニングの前面と略平行な水平部を有し、前記水平部が前記操作手段の下方に設けられた手すりと、を備え、前記第１のライニングの前記上面と、前記第２のライニングの前記上面と、が略同一高さとなるように連設して設けられ、前記便器の着座部分と、前記第２のライニングの上面との高さの差が、３００ｍｍ以上、４００ｍｍ以下であること、を特徴とするトイレユニットが提供される。【選択図】図１
2008284045.tif 000002
【特許請求の範囲】
【請求項１】
トイレブースの第１の壁面から突出するようにして設けられた少なくとも前面と上面とが遮蔽された第１のライニングと、
前記第１のライニングの前方に設置された便器と、
前記トイレブースの前記第１の壁面と略直行する第２の壁面から突出するようにして設けられた少なくとも前面と上面とが遮蔽された第２のライニングと、
前記便器の側方であって、前記第２のライニングの前記前面の上端近傍に設けられた操作手段と、
前記第２のライニングの前面と略平行な水平部を有し、前記水平部が前記操作手段の下方に設けられた手すりと、
を備え、
前記第１のライニングの前記上面と、前記第２のライニングの前記上面と、が略同一高さとなるように連設して設けられ、
前記便器の着座部分と、前記第２のライニングの上面との高さの差が、３００ｍｍ以上、４００ｍｍ以下であること、を特徴とするトイレユニット。
【請求項２】
前記手すりの前記水平部の中心は、前記第２のライニングの前記上面から下方に１５０ｍｍの範囲以内に設けられていること、を特徴とする請求項１記載のトイレユニット。
【請求項３】
前記水平部と、前記操作手段の操作面との間の水平方向の寸法は、４０ｍｍ以上、１５０ｍｍ以下であること、を特徴とする請求項１または２に記載のトイレユニット。
【請求項４】
前記操作手段に設けられた操作部は、水平方向に並ぶようにして連設されていること、を特徴とする請求項１〜３のいずれか１つに記載のトイレユニット。
【請求項５】
前記便器の側方であって、前記第２のライニングの前記前面の上端近傍には非常呼び出し手段を備え、
前記非常呼び出し手段は、前記操作手段と水平方向に並ぶようにして連設されていること、を特徴とする請求項１〜４のいずれか１つに記載のトイレユニット。
【請求項６】
前記水平部と、前記非常呼び出し手段の操作面との間の水平方向の寸法は、４０ｍｍ以上、１５０ｍｍ以下であること、を特徴とする請求項１〜５のいずれか１つに記載のトイレユニット。
【発明の詳細な説明】
【技術分野】
【０００１】
本発明は、主として四肢に麻痺を有する人などが利用するのに適したトイレユニットに関する。
【背景技術】
【０００２】
下肢に麻痺などを有する人が利用するトイレユニットは、車椅子で出入りすることができ、また、車椅子がトイレユニットの内部で旋回できる必要がある。そして、配設された便器、手洗い器、手すりなどへのアプローチを容易に行い得るように構成する必要がある。
【０００３】
そのため、下肢に麻痺を有する人などが利用するのに際して、使い勝手に優れたトイレユニットが提案されている（特許文献１を参照）。
【０００４】
ここで、下肢に麻痺などを有する人が排便行為を行う際には、必要となる器具などを便器に着座した状態でも手の届く範囲に置く必要がある。しかしながら、特許文献１に開示された技術においては、便器の背後と側方に配設されたカウンターの高さが高すぎるため、便器に着座した状態ではこれらの上に器具などを置くことが困難となっていた。また、手洗い器、手すり、操作ボタンなども背の高い配管ユニットケースに配設されているため配設位置が高く、これらへのアプローチや操作も容易に行えないおそれがあった。
【特許文献１】特開平６−１０８６７７号公報
【発明の開示】
【発明が解決しようとする課題】
【０００５】
本発明は、麻痺を有する人などにとっても使い勝手のよいトイレユニットを提供する。
【課題を解決するための手段】
【０００６】
本発明の一態様によれば、トイレブースの第１の壁面から突出するようにして設けられた少なくとも前面と上面とが遮蔽された第１のライニングと、前記第１のライニングの前方に設置された便器と、前記トイレブースの前記第１の壁面と略直行する第２の壁面から突出するようにして設けられた少なくとも前面と上面とが遮蔽された第２のライニングと、前記便器の側方であって、前記第２のライニングの前記前面の上端近傍に設けられた操作手段と、前記第２のライニングの前面と略平行な水平部を有し、前記水平部が前記操作手段の下方に設けられた手すりと、を備え、前記第１のライニングの前記上面と、前記第２のライニングの前記上面と、が略同一高さとなるように連設して設けられ、前記便器の着座部分と、前記第２のライニングの上面との高さの差が、３００ｍｍ以上、４００ｍｍ以下であること、を特徴とするトイレユニットが提供される。
【発明の効果】
【０００７】
本発明によれば、麻痺を有する人などにとっても使い勝手のよいトイレユニットが提供される。
【発明を実施するための最良の形態】
【０００８】
以下、図面を参照しつつ、本発明の実施の形態について説明をする。    
図１は、本発明の実施の形態に係るトイレユニットを例示するための模式斜視図である。  
【０００９】
図１に示すように、トイレユニット１には、トイレユニット１が備えられるトイレブースなどの壁面から突出するようにして設けられた第１のライニング６、第１のライニング６の前面に設置された便器２、便器２の上方であって第１のライニング６の上端部付近に設けられた背もたれ３、便器２の右側上方であって第１のライニング６の前面に設けられた跳ね上げ手すり４、第１のライニング６が設けられたトイレブースの壁面と略直行する壁面から突出するようにして設けられたライニング５、便器２の左側上方であって第２のライニング５の上面に設けられた手洗い器７、一端が第２のライニング５の前面に設けられ他端がトイレブースなどの壁面に設けられた固定手すり８、固定手すり８の水平部８ａの下方であって第２のライニング５の前面に設けられたトイレットペーパーホルダー９、固定手すり８の水平部８ａの上方であって第２のライニング５の前面の上端近傍に設けられた操作手段１０などが備えられている。尚、その他、洗面器、鏡、水栓、液体石鹸供給器などを適宜設けるようにすることもできる。
【００１０】
図２は、便器２を例示するための模式断面図である。    
便器２は、いわゆる「壁掛け式」の水洗便器であり、第１のライニング６の前面に設けられている。
【００１１】
便器２は、例えば、陶器、合成樹脂、合成樹脂にセラミック材、陶器粉を混入させたものなどからなるものとすることができる。      
図２に示すように、便器２の給水口２０には、ライニング６の内部に隠蔽される導水部２１が接続されている。また、導水部２１の上方にはフラッシュバルブ２２が設けられ、フラッシュバルブ２２を介して図示しない給水源と導水部２１とが接続されている。
【００１２】
便器２の開口縁部にはリム２３が設けられ、リム２３の内部にはリム通水路２３ｂが設けられている。また、リム２３は便器２の内部に向けて張り出すようにして設けられ、リム２３の下面にはリム通水路２３ｂに連通する複数の吐水口２３ａが設けられている。
【００１３】
そのため、フラッシュバルブ２２を操作することにより、水タンクなどの給水源から水道水などの水がリム通水路２３ｂに供給され、吐水口２３ａから便器２の内部に向けて吐水されるようになっている。
【００１４】
便器２の排水口２ａには、排水管２４が接続されており、便器２の内部に吐水された水を汚物とともに外部（例えば、下水管など）に排出できるようになっている。また、便器２の下部には封水部２５が設けられている。そのため、便器２の内部と排水管２４とを封水部２５を介して連通させることで、悪臭の発生を抑制しつつ汚物の排出ができるようになっている。
【００１５】
また、便器２には、開閉自在の便座２ｂが設けられている。そして、これらの他にも、いわゆる「衛生洗浄装置」などを適宜設けるようにすることができる。尚、便器２の開口部分を覆うような位置に便座２ｂがあるとき（便座２ｂが閉じているとき）には、便座２ｂの上面が便器２の着座部分となる。
【００１６】
尚、説明の便宜上、便器２を「壁掛け式」の水洗便器としたが、トイレブースの床面などに設けられる「床置き式」の水洗便器とすることもできる。そのため、便器２は、ライニング６の「前方」に設けるようにすればよい。この場合、「前方」には、図１に示したようなライニング６の前面に当接させるようにして設けたもののみならず、スペースを有して便器２とライニング６とを近接させて設けるようにしたものをも含む。
【００１７】
ライニング６の下方に設けられた固定部材２６は、下端面側を図示しない固定ボルトなどでトイレブースなどの床面に固着されている。そして、トイレブースなどの床面と略垂直となる面には、第１のライニング６の前面板を介して、便器２が図示しない固定ボルトなどで固着されている。
便器２の上方であって第１のライニング６の上端部付近には、背もたれ３が設けられている。そのため、使用者が便器２に座ったときには、背もたれ３に背中をもたせることができるので、楽な状態で便器２を使用することができる。また、背もたれ３は、クッション性を持たせるために軟質材料などからなるものとすることができる。尚、背もたれ３は必ずしも必要ではなく省くこともできる。ただし、背もたれ３を設けるものとすれば、着座時に背中をもたせるのみならず、後述する「馬乗り」動作の際にも利用することができる。
【００１８】
図３は、跳ね上げ手すり４を例示するための一部切欠模式断面図である。      
跳ね上げ手すり４は、第１のライニング６の前面板に跳ね上げ手すり４を固着するための取付板４ａ、ステンレス製のＵ字管を樹脂で被覆した樹脂被覆管４ｂ、取付板４ａに設けられ樹脂被覆管４ｂを回動自在に保持する跳ね上げユニット４ｃ、跳ね上げユニット４ｃに内蔵され樹脂被覆管４ｂを上方に向かって付勢する図示しない付勢手段、樹脂被覆管４ｂを回動させる場合に回動端における衝撃を吸収するための緩衝部材４ｄ、４ｅなどを備えている。尚、樹脂被覆管４ｂは樹脂で被覆がされていないステンレス製のＵ字管とすることもできる。
【００１９】
跳ね上げ手すり４を図中上方に持ち上げるようにして跳ね上げれば、樹脂被覆管４ｂは跳ね上げユニット４ｃを回転中心として上方に回動する。このとき、樹脂被覆管４ｂの一端は緩衝部材４ｅから離隔する。
【００２０】
また、所望の位置で跳ね上げ手すり４を離した場合には、跳ね上げユニット４ｃに内蔵されている図示しない付勢手段により、跳ね上げ手すり４は所望の位置で保持されるようになっている。そして、回動の上方の回動端においては、Ｕ字管部分が緩衝部材４ｄと当接する。また、跳ね上げ手すり４を図中下方に回動させれば、下方の回動端において樹脂被覆管４ｂの一端が緩衝部材４ｅと当接する。また、回動端においては、樹脂被覆管４ｂと緩衝部材４ｄ、４ｅとが当接することで回動による衝撃が吸収されるようになっている。
尚、手すりは便器２の側面側であって、着座部分より上方に設けられていればよい。ただし、樹脂被覆管４ｂの上側パイプの高さを後述する固定手すり８の水平部８ａと同じ高さ（中心位置が床面から６５０ｍｍ程度）とすることが好ましい。そのようにすれば、固定手すり８の水平部８ａとともに、さらに容易に体を支えることができる。
【００２１】
また、跳ね上げ手すり４をスイング式（水平方向に回動するタイプ）、固定式の手すりとすることもできる。ただし、トイレユニット１の内部スペースの有効活用の観点からは、跳ね上げ式とすることが好ましい。また、便器の両側面に手すりが設けられているようにすれば（例えば、跳ね上げ手すり４と固定手すり８）、車椅子から便器への移動の際の姿勢の安定性を大幅に向上させることができる。この場合、少なくともいずれか一方は跳ね上げ手すりとすることが好ましい。
【００２２】
図４は、手洗い器７を例示するための模式斜視図である。      
手洗い器７は、第２のライニング５の上面に埋め込むようにして設けられている。手洗い器７は、平面視が矩形をなし、下部に設けられているボウル部７ａは漏斗状を呈している。そして、ボウル部７ａの最も低い部分に排水口７ｂが設けられ、排水口７ｂには図示しない排水トラップを介して、これも図示しない排水管が接続されている。
【００２３】
また、ボウル部７ａの開口縁部にはリム部７ｃが形成され、手洗い器７の背面側の面、および左右の側の面は、上方に延長されて垂直な起立壁としての壁部７ｄ、壁部７ｅを一体に形成している。そして、この壁部７ｄ、壁部７ｅが手洗い器７の水跳ね防止壁を形成する。そのため、ライニング５の上面方向および前面方向に大きな開口を有することになる。
【００２４】
壁部７ｄの上部には、水栓７ｆが手洗い器７の内部方向に向かって突出するようにして設けられている。尚、水栓７ｆは、手洗い器７の内壁面に設けられていればよく、壁部７ｅから手洗い器７の内部方向に向かって突出するようにして設けられていてもよい。
【００２５】
水栓７ｆの先端部には、下方に向かって吐水をすることができる吐水口７ｇが設けられている。また、水栓７ｆは、第２のライニング５の内部に隠蔽されている図示しない給水源と接続されている。
【００２６】
水栓７ｆは、いわゆるスイッチ水栓とすることができる。そのため、水栓７ｆのヘッド部（先端部）を押すことで吐水をさせることができ、再度ヘッド部を押すことで吐水を停止させることができる。そして、手洗い器７の内側に吐水された水道水などの水は、ボウル部７ａに設けられた排水口７ｂより外部に向けて排出される。    
尚、吐水の形態は、例えば、シャワー状の吐水などとすることができるが、これに限定されるわけではなく、適宜変更することができる。また、水石鹸を吐出させる液体石鹸供給器などを設けるようにすることもできる。
【００２７】
本実施の形態における手洗い器７は、手洗い器７の上面側のみならず、前面側にも大きな開口を有している。そのため、便座２ｂに着座しているときのような低い姿勢からでも、手洗い器７の内部に容易に手先を挿入することができる。また、手先を挿入する前面と上面以外は、高い起立壁としての壁部７ｄ、壁部７ｅで囲まれており、水栓７ｆも手洗い器７の内側に設けられているので、例えば、荷物を置くのに利用をするライニング５の上面が濡れることを抑制することができる。
【００２８】
また、手洗い器７は、ライニング５の上面に埋め込むようにして設けられている。そして、後述するように、ライニング５の上面の高さも便器２に着座しているときの低い姿勢が考慮されている。そのため、設置位置が高くなることを抑制することができ、手洗い器７の内部に容易に手先などを挿入することができる。また、ライニング５の上面との一体感を増して煩雑感を低減させることもできる。
【００２９】
図１に示すように、固定手すり８は、断面が円形のパイプ状部材とすることができる。固定手すり８には、便器２の左側の上方に略水平に設けられた水平部８ａと、水平部８ａと連接し便器２の前方で略垂直方向に立ち上がる垂直部８ｂと、垂直部８ｂと連接しトイレブースなどの壁面に向かって延在する固定部８ｃと、が設けられている。そして、水平部８ａの一端が第２のライニング５の前面に固着され、固定部８ｃの一端がトイレブースなどの壁面に固着されている。
【００３０】
また、水平部８ａは、その中心位置が床面から６５０ｍｍ程度の高さに設置され、便座２ｂに着座した姿勢で体を支えるのに適した高さとなっている。そのため、水平部８ａを握ったり、水平部８ａの上に手や腕を載置したりすることで、容易に体を支えることができる。そして、便器２から離反する場合においては、垂直部８ｂを握ることで容易に体を起こし立ち上がることができるようになっている。      
尚、固定手すり８を可動式（例えば、跳ね上げ式）のものに置き換えることもできる。ただし、スペース効率、生産コストなどの観点からは、壁面側（ライニング５側）の手すりは固定式とすることが好ましい。
【００３１】
トイレットペーパーホルダー９は、便器２の前方であって、水平部８ａの下方に設けられている。そのため、便座２ｂに着座した状態でトイレットペーパーを取り出すことができ、かつ、水平部８ａを握るなどする場合に邪魔にならないようになっている。
【００３２】
図５は、操作手段１０、非常呼び出し手段１０ａを例示するための模式図である。  また、図５（ａ）は操作手段１０、非常呼び出し手段１０ａの配設を例示するための模式図であり、図５（ｂ）は、操作手段１０、非常呼び出し手段１０ａを例示するための模式図、図５（ｃ）は、図５（ａ）におけるＡ−Ａ矢視断面図である。尚、前述のものと同様の部分には同じ符号を付し、その説明は省略する。
【００３３】
図５（ａ）に示すように、操作手段１０は、便器２の側方であって、ライニング５の上端近傍に設けられている。また、操作手段１０の下方には固定手すり８の水平部８ａが配設されている。
【００３４】
図５（ｂ）に示すように、操作手段１０には各種の操作を行うための操作部を設けるようにすることができる。    
具体的には、いわゆる「衛生洗浄装置」の各動作の指令（例えば、局部洗浄の開始またはその停止、温風の送風またはその停止、洗浄位置の調整、吐水強さの調整）をするためのスイッチや、局所照明のＯＮ／ＯＦＦをするためのスイッチ、暖房のＯＮ／ＯＦＦをするためのスイッチなどを例示することができる。ただし、これらに限定されるわけではなく、トイレユニット１に備えられる各種の装置、器具などの操作や調整を行うためのスイッチを適宜設けるようにすることができる。
【００３５】
また、操作手段１０とともに、または、操作手段１０に代えて、非常呼び出し手段（スイッチ）１０ａを設けるようにすることもできる。尚、操作手段１０と非常呼び出し手段１０ａとを一体化させることもできる。
【００３６】
また、各種の操作を行うための操作部は、水平方向（横方向）に並ぶようにして連設されており、非常呼び出し手段１０ａも操作手段１０と水平方向（横方向）に並ぶようにして設けられている。尚、図５に示したものでは、操作手段１０の右側に非常呼び出し手段１０ａを設けるようにしているが、操作手段１０の左側に設けるようにすることもできる。
【００３７】
本実施の形態においては、固定手すり８の水平部８ａの上方に操作手段１０や非常呼び出し手段１０ａを設けるようにしているので、例えば、使用者がリウマチなどにより、指による操作が困難な場合であっても、水平部８ａの上面に手や腕を置くことで不随意運動を抑えて、拳、指の関節部分、手の甲などによる操作が可能となる。
また、操作手段１０や非常呼び出し手段１０ａは、ライニング５の上端近傍に設けられているので、例えば、使用者が手に麻痺を有する者であっても、カウンタ５の上面に手や腕を置くことでこれらを支え不随意運動を抑えて、手首を回転させることで操作をすることが可能となる。
また、各種の操作を行うための操作部は、横方向（水平方向）に並べられ、非常呼び出し手段１０ａも操作手段１０の横に設けられているので、水平部８ａやライニング５の上面に置いた手や腕をこれらに沿わせるようにして横方向に移動するだけで各種の操作を容易にすることができる。
【００３８】
ここで、操作手段１０や非常呼び出し手段１０ａの操作性を向上させるためには、ライニング５の上面や水平部８ａから操作手段１０や非常呼び出し手段１０ａの操作面までの鉛直方向（高さ方向）寸法、水平部８ａから操作手段１０や非常呼び出し手段１０ａの操作面までの水平方向の寸法が重要となる。
【００３９】
本発明者は検討の結果、図５（ｃ）に示すように、ライニング５の上面から水平部８ａの中心までの寸法Ｈを１５０ｍｍ以下とし、この範囲以内に操作手段１０や非常呼び出し手段１０ａを設けるようにすれば、これらの操作性を向上させることができるとの知見を得た。
【００４０】
また、水平部８ａから操作手段１０や非常呼び出し手段１０ａの操作面までの水平方向の寸法Ｌを４０ｍｍ以上、１５０ｍｍ以下とすれば、水平部８ａ側からの操作性を向上させることができるとの知見をも得た。この場合、寸法Ｌを４０ｍｍ以上、７０ｍｍ以下とすれば、水平部８ａを握りながら指などで操作手段１０や非常呼び出し手段１０ａの操作をするのに好適である。また、寸法Ｌを７０ｍｍ以上、１５０ｍｍ以下とすれば、水平部８ａの上面に手や腕を置いて、拳、指の関節部分、手の甲などで操作手段１０や非常呼び出し手段１０ａの操作をするのに好適である。
【００４１】
第１のライニング６は、トイレブースなどの壁面から突出するようにして設けられ、その前面には、便器２、背もたれ３、跳ね上げ手すり４などが設けられている。また、ライニング６は、少なくとも前面と上面とが遮蔽された奥行方向に薄い箱形状を呈しており、図示しない堅牢なフレーム部材と複数枚の板状部材とから形成されている。尚、ライニング６の側面がトイレブースなどの空間に露出する場合には、これを側面板で覆うようにすることが好ましい。また、背面側（トイレブースなどの壁面側）、底面側（床面側）にも板状部材を設けるようにすることもできる。また、ライニング６の内部には、便器２の配管や便器２に設けられる図示しない衛生洗浄装置、フラッシュバルブなどの配管、図示しない衛生洗浄装置などの配線を設けるようにすることができる。
【００４２】
第２のライニング５は、第１のライニング６が設けられたトイレブースの壁面と略直行する壁面から突出するようにして設けられている。そして、その前方には、ライニング６の前面と略平行な固定手すり８の水平部８ａ、その前面には、トイレットペーパーホルダー９、操作手段１０、非常呼び出し手段１０ａなどが設けられている。また、上面には、手洗い器７が埋め込むようにして設けられている。
ライニング５は、少なくとも前面、上面、底面が遮蔽された奥行方向に薄い箱形状を呈しており、図示しない堅牢なフレーム部材と複数枚の板状部材とから形成されている。尚、ライニング６の側面がトイレブースなどの空間に露出する場合には、これを側面板で覆うようにすることが好ましい。また、背面側（トイレブースなどの壁面側）にも板状部材を設けるようにすることもできる。    
また、ライニング６の上面と、ライニング５の上面とが略同一高さとなるように連設して設けられている。
【００４３】
ライニング５の底面は、床面から所定の寸法だけ離間するようになっている。すなわち、ライニング５の底面と床面との間に空間５ａが形成されるようになっている。ここで、ライニング５の底面から床面までの寸法は、車椅子のフットレスト部分が入る寸法とされている。そのため、車椅子のフットレスト部分が空間５ａの中に侵入可能とされており、例えば、車椅子使用者がライニング５の上面に荷物などを置く場合などに、ライニング５に近づきやすいようになっている。この場合、空間５ａの高さを３００ｍｍ以上とすることが好ましい。尚、空間５ａは必ずしも必要ではないが、設けられているものとすれば、前述したように車椅子によるライニング５への接近が容易となる。空間５ａが設けられない場合は、必ずしも底面が遮蔽されている必要はなく、少なくとも前面と上面とが遮蔽されていればよい。ただし、そのような場合であっても、底面が遮蔽されているようにすることができる。
【００４４】
ライニング５の内部には、手洗い器７などの配管や操作手段１０、非常呼び出し手段１０ａなどの配線を設けるようにすることができる。    
尚、トイレットペーパーホルダー９などは他の場所、例えば、ライニング６などに設けるようにすることもできる。
【００４５】
ここで、立ち座り行為が困難な障害者（例えば、下肢に麻痺などを持つ人）にとっては、靴やタオル、生理用品などが便座２ｂに着座した姿勢でも手が届く位置に置けることが好ましい。また、下肢に麻痺などを持つ人が自己導尿器具を使い排泄行為を行う際には、車椅子に載ったままカテーテルやそのケース、消毒液、タオルなど様々な器具を身近に置いて作業をする必要がある。
【００４６】
そのため、第１のライニング６や第２のライニング５の上面に、これらの荷物や用具などが置けるようにする必要がある。この場合、例えば、車椅子使用者がトイレユニット１を使用する場合を考慮すると、第１のライニング６や第２のライニング５の高さ寸法が重要となる。
【００４７】
また、便器２への着座や着座後の動作などを考慮すると、第１のライニング６や第２のライニング５がこれらの動作の障害とならないようにする必要がある。その場合においても、第１のライニング６や第２のライニング５の高さ寸法が重要となる。
【００４８】
図６は、便器の高さとライニングの高さとの関係を比較例を用いて説明をするための模式図である。    
図６に示すように、トイレブースなどの壁面から突出するようにしてライニング１０６が設けられ、その前面には便器１００が設けられている。また、ライニング１０６の上方には、背もたれ１０３が設けられている。そして、便器１００の側面側には、ライニング１０６とその上面を連接するようにしてライニング１０５が設けられている。
【００４９】
図６に示す比較例においては、便器１００に着座したときに使用者の首の下部付近にライニング１０６の上面付近が来るような高さ関係となっている。
【００５０】
ここで、下肢に麻痺を有する人が車椅子から便器１００に乗り移る際には、跳ね上げ手すり４と固定手すり８の水平部８ａを手でつかみ、便器１００の前方からライニング１０６の方向に向けて移動を行ういわゆる「馬乗り」動作を行う。このような場合、便器１００の後方に高い壁（ライニング１０６）があると、頭がぶつかり移動が行いにくくなる。
【００５１】
また、便座に着座した後にズボンなどを脱ぐ場合には、上体を後方にそらしながら腰を浮かせるいわゆる「のけぞり」動作を行う。このような場合も、便器１００の後方に高い壁（ライニング１０６）があると、上体を後方にそらすことができず、腰を浮かせることができないのでズボンなどが脱ぎにくい。
【００５２】
また、便座に着座した状態で、手洗い器７を使ったり、操作手段１０を操作したり、跳ね上げ手すり４を操作したりする場合には、上体を回転させるようにするいわゆる「ひねり」動作を行う。このような場合、便器１００の後方に高い壁（ライニング１０６）があったり、便器１００の側方に高い壁（ライニング１０５）があったりすると、手、腕、肘などが当たるので「ひねり」動作を行いにくい。
【００５３】
また、前述のように、車椅子に着座した状態においても、ライニングの上面に楽に荷物が置けたり、手が届いたりすることができるようにすることが好ましい。この場合、例えば、特許文献１に開示をされているような技術においては、ライニングの上面に車椅子使用者が荷物を置く場合についての考慮がされておらず、荷物を置く場合などの使い勝手に関して改良の余地を残していた。
【００５４】
本発明者は検討の結果、便座２ｂに着座した人がライニング６の方向に向けてのけぞった場合（「のけぞり」動作を行った場合）に、ライニング６の上面の上方であって、ライニング６の前面とトイレブースなどの壁面との間に形成された空間に、着座した人の少なくとも肩甲骨より上の部位が侵入可能となるようなライニング６の上面の高さとすれば、「馬乗り」動作、「のけぞり」動作、「ひねり」動作を容易に行うことができ、かつ、車椅子に着座した状態においてもライニングの上面に楽に荷物が置けたり、手が届いたりすることができるとの知見を得た。
【００５５】
この場合、便座２ｂに着座した人の肩甲骨の位置よりも低い位置にライニング６の上面を設けるようにすればよい。このような位置にライニング６の上面を設けるようにすれば、肩甲骨付近を上面の縁に押し当てるようにして「のけぞり」動作をすることができる。また、その際、前述の空間の中に着座した人の少なくとも肩甲骨より上の部位が侵入可能となる。
【００５６】
また、本発明者はさらなる検討の結果、便器２の着座部分（便座２ｂの上面）からライニング６の上面までの寸法（高さの差）を３００ｍｍ以上、４００ｍｍ以下とすれば「馬乗り」動作、「のけぞり」動作、「ひねり」動作をも容易に行うことができるとの知見を得た。そして、便器２の着座部分（便座２ｂの上面）の高さとライニング６の高さとの関係をこのようにすれば、車椅子に着座した状態においてもライニング６の上面に楽に荷物が置けたり、手が届いたりすることができるとの知見を得た。尚、ライニング５の上面もこれに合わせるようにすれば、手洗い器７を使ったり、操作手段１０などを操作したりする場合の「ひねり」動作をも容易に行うことができ、また、車椅子に着座した状態においてもライニング５の上面に楽に荷物が置けたり、手が届いたりすることができる。
【００５７】
また、便器２への着座や着座後の動作、車椅子に着座した状態で荷物を置くことなどを考慮すれば、ライニング５、６上面の奥行き方向寸法は２００ｍｍ以上とすることが好ましい。
【００５８】
尚、例えば、床面から便器２の着座部分（便座２ｂの上面）までの高さを４００ｍｍ程度とすれば、床面からライニング６の上面までの寸法（高さ）は７００ｍｍ以上、８００ｍｍ以下とすることができる。また、ライニング６の上面と、ライニング５の上面と、が略同一高さとなるように連設して設けられているので、床面からライニング５の上面までの寸法（高さ）は７００ｍｍ以上、８００ｍｍ以下とすることができることになる。
【００５９】
図７は、本実施の形態に係るトイレユニットにおける「馬乗り」動作を説明するための模式図である。      
下肢に麻痺を有する人が車椅子から便器２に乗り移る際には、跳ね上げ手すり４と固定手すり８の水平部８ａを手でつかみ、便器２の前方からライニング６の方向に向けて移動を行う（馬乗り動作）。
【００６０】
この際、ライニング６の上面の位置が着座した人の肩甲骨よりも低い位置にあるので、頭がライニング６に当たることがない。また、頭をライニング６の上面の上方に形成される空間に入れることもできる。そのため、馬乗り動作を円滑に行うことができる。また、ライニング６の上端部付近には背もたれ３が設けられているので、これに手をかけて馬乗り動作を行えば円滑な動作を行うことができるし、また、前のめりになった場合でも背もたれ３がクッションとなる。    
尚、便器２の着座部分からライニング６の上面までの寸法（高さの差）を３００ｍｍ以上、４００ｍｍ以下とした場合も同様である。
【００６１】
図８は、本実施の形態に係るトイレユニットにおける「のけぞり」動作を説明するための模式図である。      
下肢に麻痺を有する人が便座に着座した後にズボンなどを脱ぐ場合には、上体を後方にそらしながら腰を浮かせるようにする（のけぞり動作）。
【００６２】
このような場合においても、ライニング６の上面の位置が着座した人の肩甲骨よりも低い位置にあるので、頭や肩などをライニング６の上面の上方に形成される空間に入れることができる。そのため、上体を容易に後方にそらせて腰を浮かせることができる。その結果、ズボンなどの着脱を円滑に行うことができるようになる。    
尚、便器２の着座部分からライニング６の上面までの寸法（高さの差）を３００ｍｍ以上、４００ｍｍ以下とした場合も同様である。
【００６３】
図９、図１０は、本実施の形態に係るトイレユニットにおける「ひねり」動作を説明するための模式図である。    
図９に示すように、便座に着座した状態で跳ね上げ手すり４を操作する場合には、上体を回転させて上体を跳ね上げ手すり４の方向に向かせるようにする（ひねり動作）。
【００６４】
このような場合においても、ライニング６の上面の位置が着座した人の肩甲骨よりも低い位置にあるので、肘や腕などをライニング６の上面の上方に形成される空間に入れることができる。そのため、上体を容易にひねることができ、また、跳ね上げ手すり４を回動（上下）させるための操作も円滑に行うことができるようになる。    
尚、便器２の着座部分からライニング６の上面までの寸法（高さの差）を３００ｍｍ以上、４００ｍｍ以下とした場合も同様である。
【００６５】
また、図１０に示すように、便座に着座した状態で手洗い器７を使ったり、操作手段１０などを操作したりする場合には、上体を回転させて上体を手洗い器７や操作手段１０などの方向に向かせるようにする（ひねり動作）。
【００６６】
このような場合においても、ライニング５、６の上面の位置が肩甲骨よりも低い位置にあるので、肘や腕などをライニング５、６の上面の上方に形成される空間に入れることができる。そのため、上体を容易にひねることができ、また、手洗い器７の操作や使用、操作手段１０などの操作も円滑に行うことができるようになる。    
尚、便器２の着座部分からライニング５、６の上面までの寸法（高さの差）を３００ｍｍ以上、４００ｍｍ以下とした場合も同様である。
【００６７】
次に、トイレユニット１の作用について説明をする。        
尚、説明の便宜上、車椅子使用者がトイレユニット１を使用する場合を説明する。    
車椅子使用者は、必要に応じて荷物などをライニング５やライニング６の上面に置く。本実施の形態においては、ライニング５、６の上面の位置が肩甲骨よりも低い位置にあるので、ライニング５、６の上面の位置が低い。そのため、荷物などを楽に置くことができる。尚、便器２の着座部分からライニング５、６の上面までの寸法（高さの差）を３００ｍｍ以上、４００ｍｍ以下とした場合も同様である。
【００６８】
次に、車椅子で便器２の前方に近づき、「馬乗り」動作を行うことにより車椅子から便器２に移動する。この場合も、ライニング６の上面の位置が着座した人の肩甲骨よりも低い位置にあるので、頭がライニング６に当たることがない。また、頭をライニング６の上面の上方に形成される空間に入れることもできる。そのため、馬乗り動作を円滑に行うことができる。また、ライニング６の上端部付近には背もたれ３が設けられているので、これに手をかけて馬乗り動作を行えば円滑な動作を行うことができるし、また、前のめりになった場合でも背もたれ３がクッションとなる。尚、便器２の着座部分からライニング６の上面までの寸法（高さの差）を３００ｍｍ以上、４００ｍｍ以下とした場合も同様である。
次に、便座２ｂに着座し、ズボンなどを脱ぐために「のけぞり」動作を行う。      
このような場合においても、ライニング６の上面の位置が着座した人の肩甲骨よりも低い位置にあるので、頭や肩などをライニング６の上面の上方に形成される空間に入れることができる。そのため、上体を容易に後方にそらせて腰を浮かせることができ、ズボンなどの着脱を円滑に行うことができる。尚、便器２の着座部分からライニング６の上面までの寸法（高さの差）を３００ｍｍ以上、４００ｍｍ以下とした場合も同様である。
【００６９】
次に、便座２ｂに着座した状態で操作手段１０などを操作するために「ひねり」動作を行う。この場合においても、ライニング５、６の上面の位置が肩甲骨よりも低い位置にあるので、肘や腕などをライニング５、６の上面の上方に形成される空間に入れることができる。そのため、上体を容易にひねることができ、また、操作手段１０の操作も円滑に行うことができる。尚、便器２の着座部分からライニング５、６の上面までの寸法（高さの差）を３００ｍｍ以上、４００ｍｍ以下とした場合も同様である。
また、固定手すり８の水平部８ａの上方に操作手段１０や非常呼び出し手段１０ａを設けるようにしているので、例えば、使用者がリウマチなどにより、指による操作が困難な場合であっても、水平部８ａの上面に手や腕を置くことで不随意運動を抑えて、拳、指の関節部分、手の甲などによる操作が可能となる。
また、操作手段１０や非常呼び出し手段１０ａは、ライニング５の上端近傍に設けられているので、例えば、使用者が手に麻痺を有する者であっても、カウンタ５の上面に手や腕を置くことでこれらを支え不随意運動を抑えて、手首を回転させることで操作をすることが可能となる。
また、各種の操作を行うための操作部は、横方向（水平方向）に並べられ、非常呼び出し手段１０ａも操作手段１０の横に設けられているので、水平部８ａやライニング５の上面に置いた手や腕をこれらに沿わせるようにして横方向に移動するだけで各種の操作を容易にすることができる。
【００７０】
次に、図示しない操作手段によりフラッシュバルブ２２を操作して、汚物を排出する。その後、便座２ｂに着座した状態で手洗い器７を使うために「ひねり」動作を行う。この場合においても、前述したように、ライニング５、６の上面の位置が肩甲骨よりも低い位置にあるので、上体を容易にひねることができ、また、手洗い器７の操作や使用も円滑に行うことができる。尚、便器２の着座部分からライニング５、６の上面までの寸法（高さの差）を３００ｍｍ以上、４００ｍｍ以下とした場合も同様である。
【００７１】
次に、必要があれば、便座２ｂに着座した状態で跳ね上げ手すり４を操作するために先程とは逆向きの「ひねり」動作を行う。この場合においても、前述したように、ライニング６の上面の位置が着座した人の肩甲骨よりも低い位置にあるので、肘や腕などをライニング６の上面の上方に形成される空間に入れることができる。そのため、上体を容易にひねることができ、また、跳ね上げ手すり４を回動（上下）させるための操作も円滑に行うことができる。尚、便器２の着座部分からライニング６の上面までの寸法（高さの差）を３００ｍｍ以上、４００ｍｍ以下とした場合も同様である。
【００７２】
次に、前述したものとは逆の手順で便器２から車椅子に移動し、車椅子で便器２から離れる。そして、ライニング５やライニング６の上面に置いた荷物を取る。この場合においても、ライニング５、６の上面の位置が肩甲骨よりも低い位置にあるので、荷物などを楽に取ることができる。尚、便器２の着座部分からライニング５、６の上面までの寸法（高さの差）を３００ｍｍ以上、４００ｍｍ以下とした場合も同様である。
【００７３】
以上、本発明の実施の形態について説明をした。しかし、本発明はこれらの記述に限定されるものではない。
【００７４】
前述の実施の形態に関して、当業者が適宜設計変更を加えたものも、本発明の特徴を備えている限り、本発明の範囲に包含される。
【００７５】
例えば、トイレユニット１に設けられる各要素などの形状、寸法、材質、配置などは、例示したものに限定されるわけではなく適宜変更することができる。
【００７６】
また、トイレユニット１の設置場所も多目的トイレに限定されるわけではなく、例えば、通常のトイレの大便器が設けられるような個室などにも設置をすることができる。
【００７７】
また、前述した各実施の形態が備える各要素は、可能な限りにおいて組み合わせることができ、これらを組み合わせたものも本発明の特徴を含む限り本発明の範囲に包含される。
【図面の簡単な説明】
【００７８】
【図１】本発明の実施の形態に係るトイレユニットを例示するための模式斜視図である。
【図２】便器を例示するための模式断面図である。
【図３】跳ね上げ手すりを例示するための一部切欠模式断面図である。
【図４】手洗い器を例示するための模式斜視図である。
【図５】操作手段を例示するための模式図である。
【図６】便器の高さとライニングの高さとの関係を比較例を用いて説明をするための模式図である。
【図７】本実施の形態に係るトイレユニットにおける「馬乗り」動作を説明するための模式図である。
【図８】本実施の形態に係るトイレユニットにおける「のけぞり」動作を説明するための模式図である。
【図９】本実施の形態に係るトイレユニットにおける「ひねり」動作を説明するための模式図である。
【図１０】本実施の形態に係るトイレユニットにおける「ひねり」動作を説明するための模式図である。
【符号の説明】
【００７９】
１  トイレユニット、２  便器、２ｂ  便座、３  背もたれ、４  跳ね上げ手すり、５  ライニング、６  ライニング、７  手洗い器、８  固定手すり、９  トイレットペーパーホルダー、１０  操作手段、１０ａ  非常呼び出し手段
【図１】
2008284045.tif 000003
【図２】
2008284045.tif 000004
【図３】
2008284045.tif 000005
【図４】
2008284045.tif 000006
【図５】
2008284045.tif 000007
【図６】
2008284045.tif 000008
【図７】
2008284045.tif 000009
【図８】
2008284045.tif 000010
【図９】
2008284045.tif 000011
【図１０】
2008284045.tif 000012